【手続補正書】
【提出日】平成15年10月7日(2003.10.7)
【手続補正１】
【補正対象書類名】明細書
【補正対象項目名】発明の名称
【補正方法】変更
【補正の内容】
【発明の名称】電子ファイリング方法及び装置
【手続補正２】
【補正対象書類名】明細書
【補正対象項目名】特許請求の範囲
【補正方法】変更
【補正の内容】
【特許請求の範囲】
【請求項１】
入力された文書の各ページ画像を文字認識することによって各ページ画像の表示方向を自動的に判別し、当該判別した表示方向の情報を前記文書の各ページ画像と対応付けて記憶手段に登録する表示方向設定ステップと、
前記文書の少なくともいずれかのページ画像に対して表示方向がユーザによって指定された場合、当該指定された文書のページ画像に対応づけられて前記記憶手段に登録されている表示方向の情報を、当該ユーザによって指定された表示方向の情報で更新する表示方向指定ステップと、
を有することを特徴とする電子ファイリング方法。
【請求項２】
前記記憶手段に記憶されている各ページ画像の表示方向の情報に従って、前記文書の各ページ画像を表示する表示ステップを、更に有することを特徴とする請求項１に記載の電子ファイリング方法。
【請求項３】
前記記憶手段に記憶されている各ページ画像の表示方向の情報は、回転角度の値であることを特徴とする請求項１に記載の電子ファイリング方法。
【請求項４】
前記表示方向設定ステップでは、文字認識できなかったページ画像が存在した場合、当該文字認識できなかったページ画像が入力された際の表示方向を前記表示方向の情報として、該当するページ画像と対応付けて記憶手段に登録することを特徴とする請求項１に記載の電子ファイリング方法。
【請求項５】
前記文書のページ画像に含まれる文字を文字認識し、該文字認識の結果とその正確度とに基づいて、当該文書のタイトル文字列を生成するタイトル生成ステップを、更に有することを特徴とする請求項１に記載の電子ファイリング方法。
【請求項６】
複数のページで構成される文書を入力する入力手段と、
前記入力された文書の各ページ画像を文字認識することによって各ページ画像の表示方向を自動的に判別し、当該判別した表示方向の情報を前記文書の各ページ画像と対応付けて記憶手段に登録する表示方向設定手段と、
前記文書の少なくともいずれかのページ画像に対して表示方向がユーザによって指定された場合、当該指定された文書のページ画像に対応づけられて前記記憶手段に登録されている表示方向の情報を、当該ユーザによって指定された表示方向の情報で更新する表示方向指定手段と、
を有することを特徴とする電子ファイリング装置。
【請求項７】
前記記憶手段に記憶されている各ページ画像の表示方向の情報に従って、前記文書の各ページ画像を表示する表示手段を、更に有することを特徴とする請求項６に記載の電子ファイリング装置。
【請求項８】
前記記憶手段に記憶されている各ページ画像の表示方向の情報は、回転角度の値であることを特徴とする請求項６に記載の電子ファイリング装置。
【請求項９】
前記表示方向設定手段では、文字認識できなかったページ画像が存在した場合、当該文字認識できなかったページ画像が入力された際の表示方向を前記表示方向の情報として、該当するページ画像と対応付けて記憶手段に登録することを特徴とする請求項６に記載の電子ファイリング装置。
【請求項１０】
前記文書のページ画像に含まれる文字を文字認識し、該文字認識の結果とその正確度とに基づいて、当該文書のタイトル文字列を生成するタイトル生成手段を、更に有することを特徴とする請求項６に記載の電子ファイリング装置。
【手続補正３】
【補正対象書類名】明細書
【補正対象項目名】０００１
【補正方法】変更
【補正の内容】
【０００１】
【発明の属する技術分野】
本発明は、電子ファイリング方法及び装置に関する。


【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
【課題を解決するための手段】
上記第１の目的を達成するために請求項１に記載の電子ファイリング方法は、入力された文書の各ページ画像を文字認識することによって各ページ画像の表示方向を自動的に判別し、当該判別した表示方向の情報を前記文書の各ページ画像と対応付けて記憶手段に登録する表示方向設定ステップと、前記文書の少なくともいずれかのページ画像に対して表示方向がユーザによって指定された場合、当該指定された文書のページ画像に対応づけられて前記記憶手段に登録されている表示方向の情報を、当該ユーザによって指定された表示方向の情報で更新する表示方向指定ステップと、を有することを特徴とするものである。


【手続補正６】
【補正対象書類名】明細書
【補正対象項目名】００１５
【補正方法】変更
【補正の内容】
【００１５】
また、上記第１の目的を達成するために請求項２に記載の電子ファイリング方法は、請求項１に記載の電子ファイリング方法において、前記記憶手段に記憶されている各ページ画像の表示方向の情報に従って、前記文書の各ページ画像を表示する表示ステップを、更に有することを特徴とするものである。


【手続補正７】
【補正対象書類名】明細書
【補正対象項目名】００１６
【補正方法】変更
【補正の内容】
【００１６】
また、上記第１の目的を達成するために請求項３に記載の電子ファイリング方法は、請求項１に記載の電子ファイリング方法において、前記記憶手段に記憶されている各ページ画像の表示方向の情報は、回転角度の値であることを特徴とするものである。


【手続補正８】
【補正対象書類名】明細書
【補正対象項目名】００１７
【補正方法】変更
【補正の内容】
【００１７】
また、上記第１の目的を達成するために請求項４に記載の電子ファイリング方法は、請求項１に記載の電子ファイリング方法において、前記表示方向設定ステップでは、文字認識できなかったページ画像が存在した場合、当該文字認識できなかったページ画像が入力された際の表示方向を前記表示方向の情報として、該当するページ画像と対応付けて記憶手段に登録することを特徴とするものである。


【手続補正９】
【補正対象書類名】明細書
【補正対象項目名】００１８
【補正方法】変更
【補正の内容】
【００１８】
また、上記第２の目的を達成するために請求項５に記載の電子ファイリング方法は、請求項１に記載の電子ファイリング方法において、前記文書のページ画像に含まれる文字を文字認識し、該文字認識の結果とその正確度とに基づいて、当該文書のタイトル文字列を生成するタイトル生成ステップを、更に有することを特徴とするものである。


【手続補正１０】
【補正対象書類名】明細書
【補正対象項目名】００１９
【補正方法】変更
【補正の内容】
【００１９】
また、上記第１の目的を達成するために請求項６に記載の電子ファイリング装置は、複数のページで構成される文書を入力する入力手段と、前記入力された文書の各ページ画像を文字認識することによって各ページ画像の表示方向を自動的に判別し、当該判別した表示方向の情報を前記文書の各ページ画像と対応付けて記憶手段に登録する表示方向設定手段と、前記文書の少なくともいずれかのページ画像に対して表示方向がユーザによって指定された場合、当該指定された文書のページ画像に対応づけられて前記記憶手段に登録されている表示方向の情報を、当該ユーザによって指定された表示方向の情報で更新する表示方向指定手段と、を有することを特徴とするものである。


【手続補正１１】
【補正対象書類名】明細書
【補正対象項目名】００２０
【補正方法】変更
【補正の内容】
【００２０】
また、上記第１の目的を達成するために請求項７に記載の電子ファイリング装置は、請求項６に記載の電子ファイリング装置において、前記記憶手段に記憶されている各ページ画像の表示方向の情報に従って、前記文書の各ページ画像を表示する表示手段を、更に有することを特徴とするものである。


【手続補正１２】
【補正対象書類名】明細書
【補正対象項目名】００２１
【補正方法】変更
【補正の内容】
【００２１】
また、上記第１の目的を達成するために請求項８に記載の電子ファイリング装置は、請求項６に記載の電子ファイリング装置において、前記記憶手段に記憶されている各ページ画像の表示方向の情報は、回転角度の値であることを特徴とするものである。


【手続補正１３】
【補正対象書類名】明細書
【補正対象項目名】００２２
【補正方法】変更
【補正の内容】
【００２２】
また、上記第１の目的を達成するために請求項９に記載の電子ファイリング装置は、請求項６に記載の電子ファイリング装置において、前記表示方向設定手段では、文字認識できなかったページ画像が存在した場合、当該文字認識できなかったページ画像が入力された際の表示方向を前記表示方向の情報として、該当するページ画像と対応付けて記憶手段に登録することを特徴とするものである。


【手続補正１４】
【補正対象書類名】明細書
【補正対象項目名】００２３
【補正方法】変更
【補正の内容】
【００２３】
また、上記第２の目的を達成するために請求項１０に記載の電子ファイリング装置は、請求項６に記載の電子ファイリング装置において、前記文書のページ画像に含まれる文字を文字認識し、該文字認識の結果とその正確度とに基づいて、当該文書のタイトル文字列を生成するタイトル生成手段を、更に有することを特徴とするものである。


【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００７３
【補正方法】削除
【補正の内容】